(57)【特許請求の範囲】
【請求項１】
時間スロットごとに、複数の端末局からランダムにアクセスされた信号を複数のアンテナで受信し、各アンテナの受信信号を復調し、所定の品質を有する復調信号を選択するダイバーシチ受信装置において、
時間スロットごとに、前記各アンテナ対応の復調信号の誤りの有無を検出する手段と、  前記各アンテナ対応の復調信号のうち誤りのない復調信号を選択し、さらに同一の復調信号があればその１つの復調信号を選択して出力し、誤りがなくかつ互いに同一でない復調信号を多重して出力する手段と
を備えたことを特徴とするダイバーシチ受信装置。
【発明の詳細な説明】
【０００１】
【発明の属する技術分野】
本発明は、複数のアンテナを用いてダイバーシチ受信を行うダイバーシチ受信装置に関する。
【０００２】
【従来の技術】
ここでは、１つの基地局に複数の端末局が収容される無線通信システムにおいて、基地局に複数のアンテナを備えてダイバーシチ受信を行う場合について説明する。
【０００３】
図３は、検波後ダイバーシチを行う従来のダイバーシチ受信装置の構成例を示す。
図において、受信アンテナは複数（ここでは３つ）のセクタアンテナ１，２，３で構成され、端末局から送信された信号が各アンテナで受信される。各アンテナの受信信号は、それぞれ対応する受信回路７−１〜７−３、復調回路８−１〜８−３、ベースバンド信号処理回路９−１〜９−３を介して復調処理が行われる。アンテナ決定回路１２は、ベースバンド信号処理回路９−１〜９−３で得られる各アンテナ対応の符号誤りの有無を検出し、符号誤りのない１つのアンテナを選択し、ベースバンド信号スイッチ回路１３がそのアンテナ対応のベースバンド信号を選択して出力する。
【０００４】
【発明が解決しようとする課題】
ところで、１つの基地局が複数の端末局を時間的に管理し、ある時間スロットに１つの端末局からの信号のみが基地局に受信されるシステムでは、受信レベルや通信品質が最も良好なアンテナを１つ選択するダイバーシチ受信が可能である。すなわち、図３に示す検波後ダイバーシチによる受信が可能である。
【０００５】
しかし、複数の端末局がある時間スロットにランダムにアクセスを行うランダムアクセス型の無線通信システムでは、受信レベルや通信品質に応じて１つのアンテナを選択するダイバーシチ受信を行うと次のような問題が生じる。
【０００６】
例えば、ある時間スロットに２つの端末局が同時にアクセスを行った場合に、２つの端末局からの信号が衝突したアンテナの受信レベルは、両者の信号が合成されるため、一方の端末局からの信号のみを受信したアンテナに比べて高くなることがある。このとき、図３に示す従来の検波後ダイバーシチの構成では、信号の衝突によって受信レベルが高くなったアンテナを選択するという問題点は解決できる。すなわち、信号の衝突によって受信レベルが高くなっても、信号の衝突によって通信品質が劣化するために、そのアンテナが選択されることはない。
【０００７】
しかし、ある時間スロットで通信品質が良好な１つのアンテナが選択されたときに、次の時間スロットで複数のアンテナの通信品質が基準値を満足しても、通常はアンテナの切り替えは起こらない。すなわち、２つの端末局が同時にアクセスを行い、信号の衝突が発生せずに各アンテナに信号が受信されても、その前に選択されていたアンテナが継続して選択されることになるので、端末局のアクセス確率の不均衡が生じる。これは、上記のようにセクタアンテナを用いて複数の端末局のランダムアクセスに対応させた場合に問題となる。
【０００８】
本発明は、ランダムアクセス型の無線通信システムにおいて、複数の端末局のアクセス確率の不均衡を生じることなくダイバーシチ受信を行うことができるダイバーシチ受信装置を提供することを目的とする。
【０００９】
【課題を解決するための手段】
本発明のダイバーシチ受信装置は、時間スロットごとに、複数の端末局からランダムにアクセスされた信号を複数のアンテナで受信し、各アンテナの受信信号を復調し、所定の品質を有する復調信号を選択する際に、各アンテナ対応の復調信号のうち誤りのない復調信号を選択し、さらに同一の復調信号があればその１つの復調信号を選択して出力し、誤りがなくかつ互いに同一でない復調信号を多重して出力する。これにより、各アンテナ対応の復調信号のうち、誤りがなくかつ互いに同一でない復調信号、すなわち複数の端末局からの信号を多重して出力することができる。
【００１１】
【発明の実施の形態】
図１は、本発明のダイバーシチ受信装置の実施形態を示す。ここでは、アンテナとしてセクタアンテナを用い、復調後の符号誤りを選択基準とする検波後ダイバーシチを行う構成例を示す。
【００１２】
図において、同一時間スロットに複数の端末局から送信された信号は、各セクタアンテナ１，２，３にそれぞれ受信される。各アンテナの受信信号は、それぞれ対応する受信回路７−１〜７−３、復調回路８−１〜８−３、ベースバンド信号処理回路９−１〜９−３を介して復調処理が行われ、各復調信号が一致検出／信号多重回路１０に入力される。このとき、ベースバンド信号処理回路９−１〜９−３は、各アンテナ対応の符号誤りの有無を検出して一致検出／信号多重回路１０に通知する。一致検出／信号多重回路１０は、符号誤りのない復調信号のうち、同一の復調信号があればその１つの復調信号を選択して出力する。さらに、各アンテナ対応の復調信号に誤りがなくかつ互いに同一でなければ、各復調信号を多重して出力する。なお、多重方法は後段の信号処理回路で分離できる形式のものであれば、いずれの方法をとってもよい。また、各復調信号を並列に出力してもよい。
【００１３】
図２は、一致検出／信号多重回路１０の動作例を示す。
一致検出／信号多重回路１０は、各アンテナ対応の復調信号のうち符号誤りが発生している復調信号を廃棄する。次に、符号誤りがない復調信号のうち、同一の復調信号についてその１つを残して廃棄する。ここでは、セクタアンテナ１に対応する復調信号をＤ１、セクタアンテナ２に対応する復調信号をＤ２、セクタアンテナ３に対応する復調信号をＤ３とすると、復調信号Ｄ２についてはＤ１＝Ｄ２を判断し、復調信号Ｄ３についてはＤ１＝Ｄ３，Ｄ２＝Ｄ３を判断し、同一の復調信号が重複しないように選択する。
【００１４】
例えば、ある時間スロットで、端末局Ａからの信号がアンテナセクタ１，２に正常に受信された場合には、Ｄ１＝Ｄ２となるので、アンテナセクタ１に対応する復調信号Ｄ１が選択される。これは、従来の検波後ダイバーシチと同様である。
【００１５】
また、ある時間スロットで、端末局Ａからの信号がアンテナセクタ１に正常に受信され、端末局Ｂからの信号がアンテナセクタ２に正常に受信された場合には、Ｄ１≠Ｄ２となるので、各復調信号Ｄ１，Ｄ２が多重して出力される。すなわち、各端末局Ａ，Ｂからの信号を同時に受信することができる。これは、検出後ダイバーシチの装置構成を用いて、ランダムアクセスする複数の端末局からの信号を同時に受信できるようにしたものと言える。
【００１６】
また、アンテナとしてセクタアンテナを用い、複数の端末局からの信号が分離して各セクタアンテナに受信されるシステムでは、複数の端末局からの信号を同時に受信できる効果は大きい。これにより、複数の端末局からのアクセスを均等に処理することができる。
【００１７】
【発明の効果】
以上説明したように、本発明のダイバーシチ受信装置は、各アンテナ対応の復調信号のうち、誤りがなくかつ互いに同一でない復調信号を多重して出力することにより、検出後ダイバーシチと、ランダムアクセスする各端末局からの信号の同時受信を同じ装置で実現することができる。
【図面の簡単な説明】
【図１】本発明のダイバーシチ受信装置の実施形態を示すブロック図。
【図２】一致検出／信号多重回路１０の動作例を示すフローチャート。
【図３】従来のダイバーシチ受信回路（検波後ダイバーシチ）の構成例を示すブロック図。
【符号の説明】
１，２，３  セクタアンテナ
７  受信回路
８  復調回路
９  ベースバンド信号処理回路
１０  一致検出／信号多重回路
１２  アンテナ決定回路
１３  ベースバンド信号スイッチ回路
【図１】
0003799027.tif 000002
【図２】
0003799027.tif 000003
【図３】
0003799027.tif 000004